(57)【要約】      （修正有）【課題】書棚等の棚板を水平且つ傾斜して棚受けダボに支持するために棚受けダボ以外のアタッチメントがなくても容易に取付けができる書棚の棚板取付装置を提供する。【解決手段】複数の側板材１１と、側板材間に配置される棚板材２０とからなる書棚の棚板取付装置であって、棚板材は、側板材間の少なくとも上下に固定される固定棚板材と、上下の固定棚板材間に可変可能な複数の可動棚板材２２ａ，２２ｂと、で構成され、可動棚板材は、棚受けダボ３０を介して側板材の内側面１３に水平および傾斜して支持される下面側に開口した開口部を前後に備えている。【選択図】図４
0003218764.tif 000002
【実用新案登録請求の範囲】
【請求項１】
複数の側板材と、
前記側板材間に配置される棚板材とからなる書棚の棚板取付装置であって、
前記棚板材は、前記側板材間の少なくとも上下に固定される固定棚板材と、上下の前記固定棚板材間で可変可能な複数の可動棚板材と、で構成されており、
前記可動棚板材は、棚受けダボを介して前記側板材の内側面に水平および傾斜して支持される下面側に開口した開口部を前後に備えていることを特徴とする、書棚の棚板取付装置。
【請求項２】
前記開口部は、開口幅が狭い開口部と開口幅が広い開口部とからなり、前記可動棚板材を水平および傾斜して取付ける時は、前記開口部を支持する前記側板材に形成した複数のダボ穴の使用位置を可変させることを特徴とする、請求項１に記載の書棚の棚板取付装置。
【請求項３】
前記可動棚板材を異なる角度で傾斜して取付ける時は、前記開口部の前後位置を可変させることを特徴とする、請求項１または２記載の書棚の棚板取付装置。
【請求項４】
前記開口部は、先端に突出部が形成されていることを特徴とする、請求項１〜３のいずれかに記載の書棚の棚板取付装置。
【請求項５】
前記棚板材は、前方または後方の端部から上方へリブを備えていることを特徴とする、請求項１〜４のいずれかに記載の書棚の棚板取付装置。
【請求項６】
前記書棚は、前後または左右に連結して配置することを特徴とする、請求項１〜５のいずれかに記載の書棚の棚板取付装置。
【考案の詳細な説明】
【技術分野】
【０００１】
本考案は、書棚の棚板取付装置に関するものである。
【背景技術】
【０００２】
従来、本棚等の棚板を水平且つ斜めに棚受けダボに支持するために棚受けダボ用アタッチメントを用いたのが開示されている。
【先行技術文献】
【特許文献】
【０００３】
【特許文献１】特許第３５７７１３７号公報
【考案の概要】
【考案が解決しようとする課題】
【０００４】
しかし、上記したような棚板の取付装置では、棚板を支持するために棚受けダボ以外にもアタッチメントが必要なため、部品数が増え、コストや作業性が悪いなどの問題があった。
【０００５】
そこで、本考案は、書棚等の棚板を水平且つ傾斜して棚受けダボに支持するために棚受けダボ以外のアタッチメントがなくても容易に取付けができる書棚の棚板取付装置を提供することを課題とする。
【課題を解決するための手段】
【０００６】
本考案は、上記した課題を解決するためになされたものであり、以下を特徴とする。
請求項１に記載の考案は、複数の側板材と、前記側板材間に配置される棚板材とからなる書棚の棚板取付装置であって、前記棚板材は、前記側板材間の少なくとも上下に固定される固定棚板材と、上下の前記固定棚板材間で可変可能な複数の可動棚板材と、で構成されており、前記可動棚板材は、棚受けダボを介して前記側板材の内側面に水平および傾斜して支持される下面側に開口した開口部を前後に備えていることを特徴とする。
【０００７】
請求項２に記載の考案は、請求項１に記載の考案の特徴点に加え、前記開口部は、開口幅が狭い開口部と開口幅が広い開口部とからなり、前記可動棚板材を水平および傾斜して取付ける時は、前記開口部を支持する前記側板材に形成した複数のダボ穴の使用位置を可変させることを特徴とする。
【０００８】
請求項３に記載の考案は、請求項１または２記載の考案の特徴点に加え、前記可動棚板材を異なる角度で傾斜して取付ける時は、前記開口部の前後位置を可変させることを特徴とする。
【０００９】
請求項４に記載の考案は、請求項１〜３のいずれかに記載の考案の特徴点に加え、前記開口部は、先端に突出部が形成されていることを特徴とする。
【００１０】
請求項５に記載の考案は、請求項１〜４のいずれかに記載の考案の特徴点に加え、前記棚板材は、前方または後方の端部から上方へリブを備えていることを特徴とする。
【００１１】
請求項６に記載の考案は、請求項１〜５のいずれかに記載の考案の特徴点に加え、前記書棚は、前後または左右に連結して配置することを特徴とする。
【考案の効果】
【００１２】
請求項１に記載の考案は上記の通りであり、複数の側板材と、側板材間に配置される棚板材とからなる書棚の棚板取付装置であって、棚板材は、側板材間の少なくとも上下に固定される固定棚板材と、上下の固定棚板材間で可変可能な複数の可動棚板材と、で構成されており、可動棚板材は、棚受けダボを介して側板材の内側面に水平および傾斜して支持される下面側に開口した開口部を前後に備えているため、棚受けダボで開口部を支持するだけで可動棚板材を水平且つ傾斜した棚板材が取付けられるため、部品数が少なくコストが抑えられ、作業性が良い。さらに、少なくとも上下のみに固定棚板材を設けるだけで、それ以外は可動棚板材が取付けられるため、書籍の高さにより、可動棚板材の枚数や位置を変更でき、利便性が高い。
【００１３】
請求項２に記載の考案は上記の通りであり、開口部は、開口幅が狭い開口部と開口幅が広い開口部とからなり、可動棚板材を水平および傾斜して取付ける時は、開口部を支持する側板材に形成した複数のダボ穴の使用位置を可変させるため、同じ可動棚板材でも使用するダボ穴の位置を変更するだけで水平且つ傾斜した棚板材が構成でき、作業性が良い。さらに、同じ開口部で可動棚板材の水平且つ傾斜する棚板材に対応できるため、棚受けダボ以外のアタッチメントや別に受けるための開口部が必要なく、コスト等が抑えられる。
【００１４】
請求項３に記載の考案は上記の通りであり、可動棚板材を異なる角度で傾斜して取付ける時は、開口部の前後位置を変更させるだけで対応でき、作業性が良い。また、異なる角度で傾斜させた棚板材を配置することで、書籍の取出しが両方向から行うこともでき、様々な配置に対応でき、利便性が高い。
【００１５】
請求項４に記載の考案は上記の通りであり、開口部は、先端に突出部が形成されているため、開口部の溝がより深く形成できるので、可動棚板材が棚受けダボから外れることを防止することができ、浮き上がり等による棚板材の落下を防止する。
【００１６】
請求項５に記載の考案は上記の通りであり、棚板材は、前方または後方の端部から上方へリブを備えているため、リブにより書籍を受け止めることができ、落下等を防ぐ。また、前方に傾斜且つリブを配置すると、書籍が前方側に傾斜して収納されるため、その棚板材を上方に配置させると、書籍の見出しが見易くなり、使い勝手が良い。また、後方に傾斜且つリブを配置すると、書籍が後方側に傾斜して収納されるため、その棚板材を下方に配置させると、書籍の見出しが見易くなり、使い勝手が良い。
【００１７】
請求項６に記載の考案は上記の通りであり、書棚は、前後に連結して配置することにより、前後方向に大きい書籍等、様々な大きさの書籍を書棚に収納でき、利便性が高い。また、左右に連結して配置することにより、統一感を損なわない書棚を連続して配置でき、意匠性が良い。
【図面の簡単な説明】
【００１８】
【図１】書棚の棚板取付装置を示す（ａ）可動棚板材を水平に取付けた外観図、（ｂ）可動棚板材を傾斜して取付けた外観図である。
【図２】側板材に棚受けダボを取付ける前の斜視図である。
【図３】固定棚板材を取付けた状態の拡大断面図である。
【図４】側板材および可動棚板材を示す（ａ）図１（ａ）の一部拡大断面図、（ｂ）図１（ｂ）の一部拡大断面図である。
【図５】水平に可動棚板材を取付けた状態の拡大断面図である。
【図６】傾斜した可動棚板材を取付けた状態の拡大断面図である。
【図７】側板材および可動棚板材の変形例を示す（ａ）異なる角度で傾斜する可動棚板材の拡大断面図、（ｂ）異なる角度で傾斜する可動棚板材を組み合わせた拡大断面図である。
【図８】書棚を前後方向に連結した状態の外観図である。
【図９】書棚を左右方向に連結した状態の外観図である。
【考案を実施するための形態】
【００１９】
本考案の実施形態について、図を参照しつつ説明する。
【００２０】
本実施形態に係る書棚１０Ａ、１０Ｂ、１０Ｃ、１０Ｄは、図１に示すように、複数の側板材１１と、側板材１１間に配置される棚板材２０と、を備えて構成される。この棚板材２０は、側板材１１間の少なくとも上下に固定される固定棚板材２１と、上下の固定棚板材２１間に可変可能な複数の可動棚板材２２ａ、２２ｂとからなり、可動棚板材２２ａ、２２ｂは、棚受けダボ３０を介して側板材１１に支持されている。
【００２１】
側板材１１は、図１に示すように、棚板材２０を支持するための柱材である。具体的には、図２に示すように、化粧面の外側面１２と、それに対向する棚受け側の内側面１３が連なって中空部が形成された矩形状の長尺材であり、中空部からなる凸部１４ａと外側面１２側が開口した凹部１４ｂが交互に連続して設けられている。内側面１３には、凹部１４ｂで構成されている位置に、後述の棚受けダボ３０を支持するためのダボ穴１５が長手方向に所定の間隔で貫通されているため、外側面１２側からもダボ穴１５が視認できる構成になっている。しかし、凹部１４ｂにダボ穴１５を形成することで見る位置によっては凸部１４ａの影になり、ダボ穴１５が視認し辛く、意匠性が良い。なお、凹部１４ｂを目地カバー材（図示なし）で覆い、ダボ穴１５が外側面１２側から完全に視認できない構成にしても良い。
【００２２】
棚受けダボ３０を支持するダボ穴１５は、図２の拡大図に示すように、大円１５ａの下方に小円１５ｂを連結した鍵穴型からなる。この大円１５ａに側板材１１の内側面１３側から棚受けダボ３０を挿入し、棚受けダボ３０を小円１５ｂ側の下方に移動することで棚受けダボ３０がダボ穴１５に支持される。逆に、棚受けダボ３０を外す時は、小円１５ｂから大円１５ａ側の上方に棚受けダボ３０を移動し、大円１５ａから棚受けダボ３０を取外すことができる。すなわち、取付けも取外しも容易に行えるため、後述の可動棚板材２２ａ、２２ｂを支持するためにダボ穴１５に挿入した棚受けダボ３０を異なるダボ穴１５への移動が容易にできるので様々な配置に対応でき、利便性が高い。
【００２３】
棚受けダボ３０は、図５、図６に示すように、後述の可動棚板材２２ａ、２２ｂを支持するためのものであり、図２に示すように、円柱型の棚受けダボ３０は、ダボ穴１５の大円１５ａに挿入する大円１５ａの直径より小さい中円３１ａと、ダボ穴１５の小円１５ｂに支持される小円１５ｂの直径よりやや小さめの小円３１ｂと、可動棚板材２２ａ、２２ｂの開口部２８ａ、２８ｂを支持する開口部２８ａの直径よりやや小さめの大円３１ｃから形成されている。この３種類の円柱により、スムーズな取付け、取外しができるため、様々な配置に対応でき、利便性が高い。なお、棚受けダボ３０は、スムーズな取付け、取外しができれば良いため、円柱型に限定されない。
【００２４】
固定棚板材２１は、図１に示すように、側板材１１間の少なくとも上下に固定される天井面と底面に配置される棚板材２０のことである。具体的には、図３に示すように、書籍を置く上面２３と、それに対向する下面２４が連なって中空部２５ａが形成された矩形状の長尺材であり、中空部２５ａの下面２４側には、ビスホール２５ｂが設けられ、このビスホール２５ｂとダボ穴１５をネジ３２で固定する。これにより、図１に示すような対の側板材１１と上下の固定棚板材２１で矩形になるため、強固な枠材が形成される。また、側板材１１の長手方向に長い書棚（高さがある書棚）の場合は、天井面と底面の中間部に固定棚板材２１を追加して取付けることで、さらに強固な枠材が形成され、歪み等を防ぐ。さらに、固定棚板材２１は、後述の可動棚板材２２ａ、２２ｂと同じ形状であるため、意匠の統一感を損なわない。また、上面２３の後部には書籍を支持するためのリブ２３ａを備えているので、固定棚板材２１に書籍を置くことも可能であり、機能性も兼ね備えている。
【００２５】
可動棚板材２２ａ、２２ｂは、図１に示すように、側板材１１に支持され、上下の固定棚板材２１間に任意の間隔で可変可能な棚板材２０のことである。具体的には、図４（ａ）に示すように、側板材１１の同じ高さからなる前後のダボ穴１５を利用した水平状の可動棚板材２２ａと、図４（ｂ）に示すように、側板材１１の異なる高さからなる前後のダボ穴１５を利用した傾斜状の可動棚板材２２ｂを構成することができる。この可動棚板材２２ａ、２２ｂは、図５、図６に示すように、固定棚板材２１と同じ形状からなり、書籍を置く上面２６と、それに対向する下面２７が連なって中空部２９が形成された矩形状の長尺材であり、上面２６の後部には書籍を支持するためのリブ２６ａを備え、下面２７には、棚受けダボ３０を受ける下面２７側に開口した開口部２８ａ、２８ｂが前後方向に２箇所設けられている。
【００２６】
開口部２８ａは下面２７の前部側に設けられ、開口部２８ｂは下面２７の後部側に設けられ、開口部２８ａよりも開口部２８ｂの方が開口幅が広く構成されている。この開口部２８ｂの開口幅により、図５に示すような水平状の可動棚板材２２ａと、図６に示すような傾斜状の可動棚板材２２ｂを同じ棚板材２０を使用して構成することができる。具体的には、水平に支持するには、図５の拡大図に示すように、開口部２８ｂの前部で棚受けダボ３０を支持し、傾斜して支持するには、図６の拡大図に示すように、開口部２８ｂの後部よりで棚受けダボ３０を支持することで同じ棚板材２０であっても水平にも傾斜にも角度を変更して使用でき、利便性が高い。言い換えると、開口部２８ｂの開口幅が広いため、可動棚板材２２ａ、２２ｂの配置する角度によって棚受けダボ３０を支持する位置が可変されても対応できるだけの開口幅を備えているので、可動棚板材２２ａ、２２ｂを水平や傾斜にする時にも棚受けダボ３０以外のアタッチメントや別に受けるための開口部を必要としない。なお、開口部２８ａ、２８ｂには溝の先端に突出部２８ｃが形成されているため、より溝が深く形成できるので可動棚板材２２ａ、２２ｂが棚受けダボ３０から外れることを防止することができ、浮き上がり等による棚板材２０の落下を防止する。また、傾斜状の可動棚板材２２ｂは上記した実施形態のものに限らず、種々のものが考えられる。
【００２７】
例えば、図７（ａ）に示すように、可動棚板材２２ｂの前後を入れ替えて図４（ｂ）とは異なる角度に傾斜且つリブ２６ａを配置しても良い。この傾斜したリブ２６ａを前方にして使用する場合は、書籍が前方に傾斜して収納されるため、棚板材２０の上方にこの可動棚板材２２ｂを配置すると、書籍の見出しが見易くなり、使い勝手が良い。逆に、傾斜したリブ２６ａを後方にして使用する場合は、棚板材２０の下方にこの可動棚板材２２ｂを配置することで書籍の見出しが見易くなり、使い勝手が良い。
【００２８】
また、図７（ｂ）に示すように、可動棚板材２２ｂの前後を入れ替えた棚板材２０を組み合わせて配置しても良い。これにより、書籍の取出しが両方向から行うこともできるため、様々な配置に対応でき、利便性が高い。
【００２９】
上記した書棚１０Ａ、１０Ｂは、図１（ａ）に示すように、水平状の可動棚板材２２ａを配置した書棚１０Ａおよび図１（ｂ）に示すように、傾斜状の可動棚板材２２ｂを配置した書棚１０Ｂにしても良い。なお、水平状の可動棚板材２２ａと傾斜状の可動棚板材２２ｂを組み合わせても良い。また、書棚１０Ａ、１０Ｂは上記した実施形態のものに限らず、種々のものが考えられる。
【００３０】
例えば、図８に示すように、前後方向に連結して配置した書棚１０Ｃにしても良い。これにより、前後方向に大きな書籍等、様々な大きさの書籍を収納でき、利便性が高い。なお、本実施形態では、水平状の可動棚板材２２ａを配置しているが、傾斜状の可動棚板材２２ｂにしても良い。また、両者を組み合わせても良い。
【００３１】
また、図９に示すように、左右方向に連結して配置した書棚１０Ｄにしても良い。これにより、統一感を損なわない書棚を連続して配置でき、意匠性が良い。なお、本実施形態では、水平状の可動棚板材２２ａを配置しているが、傾斜状の可動棚板材２２ｂにしても良い。また、両者を組み合わせても良い。
【００３２】
以上説明したように、本実施形態によれば、複数の側板材１１と、側板材１１間に配置される棚板材２０とからなる書棚１０Ａ、１０Ｂ、１０Ｃ、１０Ｄの棚板取付装置であって、棚板材２０は、側板材１１間の少なくとも上下に固定される固定棚板材２１と、上下の固定棚板材２１間で可変可能な複数の可動棚板材２２ａ、２２ｂと、で構成されており、可動棚板材２２ａ、２２ｂは、棚受けダボ３０を介して側板材１１の内側面１３に水平および傾斜して支持される下面２７側に開口した開口部２８ａ、２８ｂを前後に備えているため、棚受けダボ３０で開口部２８ａ、２８ｂを支持するだけで可動棚板材２２ａ、２２ｂを水平且つ傾斜した棚板材２０が取付けられるため、部品数が少なくコストが抑えられ、作業性が良い。さらに、少なくとも上下のみに固定棚板材２１を設けるだけで、それ以外は可動棚板材２２ａ、２２ｂが取付けられるため、書籍の高さにより、可動棚板材２２ａ、２２ｂの枚数へ位置を変更でき、利便性が高い。
【００３３】
また、開口部２８ａ、２８ｂは、開口幅が狭い開口部２８ａと開口幅が広い開口部２８ｂとからなり、可動棚板材２２ａ、２２ｂを水平および傾斜して取付ける時は、開口部２８ａ、２８ｂを支持する側板材１１に形成した複数のダボ穴１５の使用位置を可変させるため、同じ可動棚板材２２ａ、２２ｂでも使用するダボ穴１５の位置を変更するだけで水平且つ傾斜した棚板材２０が構成でき、作業性が良い。さらに、同じ開口部２８ａ、２８ｂで可動棚板材２２ａ、２２ｂの水平且つ傾斜する棚板材２０に対応できるため、棚受けダボ３０以外のアタッチメントや別に受けるための開口部が必要なく、コスト等が抑えられる。
【００３４】
また、可動棚板材２２ｂを異なる角度で傾斜して取付ける時は、開口部２８ａ、２８ｂの前後位置を変更させるだけで対応でき、作業性が良い。また、異なる角度で傾斜させた棚板材２０（可動棚板材２２ｂ）を配置することで、書籍の取出しが両方向から行うこともできるため、様々な配置に対応でき、利便性が高い。
【００３５】
また、開口部２８ａ、２８ｂは、先端に突出部２８ｃが形成されているため、開口部２８ａ、２８ｂの溝がより深く形成できるので、可動棚板材２２ａ、２２ｂが棚受けダボ３０から外れることを防止することができ、浮き上がり等による棚板材２０（可動棚板材２２ａ、２２ｂ）の落下を防止する。
【００３６】
また、棚板材２０は、前方または後方の端部から上方へリブ２３ａ、２６ａを備えているため、リブ２３ａ、２６ａにより書籍を受け止めることができ、落下等を防ぐ。また、前方に傾斜且つリブ２６ａを配置すると、書籍が前方側に傾斜して収納されるため、その棚板材２０を上方に配置させると、書籍の見出しが見易くなり、使い勝手が良い。また、後方に傾斜且つリブ２６ａを配置すると、書籍が後方側に傾斜して収納されるため、その棚板材２０を下方に配置させると、書籍の見出しが見易くなり、使い勝手が良い。
【００３７】
また、書棚１０Ｃ、１０Ｄは、前後に連結して配置することにより、前後方向に大きい書籍等、様々な大きさの書籍を書棚１０Ｃに収納でき、利便性が高い。また、左右に連結して配置することにより、統一感を損なわない書棚１０Ｄを連続して配置でき、意匠性が良い。
【符号の説明】
【００３８】
１０Ａ、１０Ｂ、１０Ｃ、１０Ｄ  書棚
１１  側板材
１２  外側面
１３  内側面
１４ａ  凸部
１４ｂ  凹部
１５  ダボ穴
１５ａ  大円
１５ｂ  小円
２０  棚板材
２１  固定棚板材
２２ａ  水平状の可動棚板材
２２ｂ  傾斜状の可動棚板材
２３、２６  上面
２３ａ、２６ａ  リブ
２４、２７  下面
２５ａ  中空部
２５ｂ  ビスホール
２８ａ、２８ｂ  開口部
２８ｃ  突出部
２９  中空部
３０  棚受けダボ
３１ａ  中円
３１ｂ  小円
３１ｃ  大円
３２  ネジ
【図１】
0003218764.tif 000003
【図２】
0003218764.tif 000004
【図３】
0003218764.tif 000005
【図４】
0003218764.tif 000006
【図５】
0003218764.tif 000007
【図６】
0003218764.tif 000008
【図７】
0003218764.tif 000009
【図８】
0003218764.tif 000010
【図９】
0003218764.tif 000011